(57)【特許請求の範囲】
【請求項１】
ケースに対し平行移動操作、回転操作、押し込み操作可能に設けられたノブと、
前記ケースに回転可能に設けられた第１のロータと、
前記第１のロータにノブ回転軸方向に対面隣接し前記ケースに回転可能且つ回転半径方向へ移動可能に設けられ前記ノブがノブ回転軸方向に押し込み操作可能且つ回転係合する第２のロータと、
前記第１，第２のロータ間に設けられ前記第１，第２のロータの一方に設けられ弾性部材により付勢された節度体と、同他方に設けられ前記節度体が係合する位置決め山と復帰山を有する節度山と、からなる位置決め係合部とを備え、
前記位置決め係合部は、前記第１のロータに対し第２のロータの前記ノブ回転半径方向への移動を前記節度体が前記位置決め山から前記復帰山に移動して許容すると共に前記節度体が前記位置決め山との係合を介して第１，第２のロータ間の回転伝達を行い、
前記平行移動操作、回転操作、押し込み操作の何れかで対応した検知部を動作させる
ことを特徴とする多方向入力装置。
【請求項２】
請求項１記載の多方向入力装置であって、
前記節度体は、コイル・スプリングにより付勢されたボールである
ことを特徴とする多方向入力装置。
【請求項３】
請求項１又は２記載の多方向入力装置であって、
前記第２のロータ側に、テーパー面を設け、
前記ケースに前記第２のロータがノブ回転半径方向へ移動したとき前記テーパー面に当接して軸方向移動し対応した検知部を動作させるノブ周方向複数のプッシュ・ロッドを設けた
ことを特徴とする多方向入力装置。
【請求項４】
請求項１〜３の何れかに記載の多方向入力装置であって、
前記第２のロータは、第１，第２のスライダを介して前記ケースに対しノブ回転半径方向へ移動可能且つ回転可能であり、
前記第１のスライダは、前記ケースに一方向へ移動可能に設けられると共に前記第２のスライダは、前記第１のスライダに前記一方向に直交する方向へ移動可能に設けられた
ことを特徴とする多方向入力装置。
【請求項５】
請求項４記載の多方向入力装置であって、
前記第２のロータ及び第２のスライダ間に、第２のスライダに対して第２のロータに回転節度を与える回転節度係合部を設けた
ことを特徴とする多方向入力装置。
【請求項６】
請求項５記載の多方向入力装置であって、
前記回転節度係合部は、前記第２のロータ及び第２のスライダの一方に設けられコイル・スプリングにより付勢されたボール及び同他方に設けられ前記ボールが係合する節度山である
ことを特徴とする多方向入力装置。 
【請求項７】
請求項１〜６の何れかに記載の多方向入力装置であって、
前記ノブの平行移動操作、回転操作、押し込み操作により各別に動作する検知部を備えた単一の基板を設けた
ことを特徴とする多方向入力装置。 
【請求項８】
請求項７記載の多方向入力装置であって、
前記基板に、照明具を設け、
前記ノブの天部に表示部を設け、
前記照明具から前記表示まで貫通する光路を設け、
前記照明具の照明により前記表示部の明光表示を行う
ことを特徴とする多方向入力装置。 
【発明の詳細な説明】
【技術分野】
【０００１】
本発明は、平行移動操作、回転操作、押し込み操作を可能にした自動車の多方向入力装置に関する。
【背景技術】
【０００２】
図９は、従来の多方向入力装置を示す主要断面図である。図９のように、従来の多方向入力装置は、ケース２０１に傾動兼押動操作ツマミ２０３が傾動操作、押動操作可能に取り付けられ、回動ツマミ２０４が回動操作可能に取り付けられ、各操作により対応する接点等の動作を行なわせるものである。
【０００３】
前記傾動兼押動操作ツマミ２０３の傾動操作により、傾動部材２０５が傾動して接点が動作する。前記回動ツマミ２０４の回動操作により、回転体２０７が連動回転して回転検出が行われる。前記傾動兼押動ツマミ２０３の押動操作により、押動部材２０９が軸方向に押し込まれて接点が動作する。
【０００４】
しかし、従来の構造では、傾動操作ツマミ２０３の傾動操作、押動操作から回動ツマミ２０４の回動操作へ移るときは、ツマミ２０３，２０４を持ち替える必要があった。
【０００５】
【特許文献１】特開２００５−１２２２９４号公報
【特許文献２】特開２００５−１２２２８９号公報
【特許文献３】特開２００５−１２２２９０号公報
【発明の開示】
【発明が解決しようとする課題】
【０００６】
解決しようとする問題点は、傾動操作、押動操作から回動操作へ移るときは、ツマミを持ち替える必要があったという点である。
【課題を解決するための手段】
【０００７】
本発明は、平行移動操作、回転操作、押し込み操作を持ち替えずに行うことを可能とするため、ケースに対し平行移動操作、回転操作、押し込み操作可能に設けられたノブと、前記ケースに回転可能に設けられた第１のロータと、前記第１のロータにノブ回転軸方向に対面隣接し前記ケースに回転可能且つ回転半径方向へ移動可能に設けられ前記ノブがノブ回転軸方向に押し込み操作可能且つ回転係合する第２のロータと、前記第１，第２のロータ間に設けられ前記第１，第２のロータの一方に設けられ弾性部材により付勢された節度体と、同他方に設けられ前記節度体が係合する位置決め山と復帰山を有する節度山と、からなる位置決め係合部とを備え、前記位置決め係合部は、前記第１のロータに対し第２のロータの前記ノブ回転半径方向への移動を前記節度体が前記位置決め山から前記復帰山に移動して許容すると共に前記節度体が前記位置決め山との係合を介して第１，第２のロータ間の回転伝達を行い、前記平行移動操作、回転操作、押し込み操作の何れかで対応した検知部を動作させることを特徴とする。
【発明の効果】
【０００８】
本発明の多方向入力装置は、ケースに対し平行移動操作、回転操作、押し込み操作可能に設けられたノブと、前記ケースに回転可能に設けられた第１のロータと、前記第１のロータにノブ回転軸方向に対面隣接し前記ケースに回転可能且つ回転半径方向へ移動可能に設けられ前記ノブがノブ回転軸方向に押し込み操作可能且つ回転係合する第２のロータと、前記第１，第２のロータ間に設けられ前記第１，第２のロータの一方に設けられ弾性部材により付勢された節度体と、同他方に設けられ前記節度体が係合する位置決め山と復帰山を有する節度山と、からなる位置決め係合部とを備え、前記位置決め係合部は、前記第１のロータに対し第２のロータの前記ノブ回転半径方向への移動を前記節度体が前記位置決め山から前記復帰山に移動して許容すると共に前記節度体が前記位置決め山との係合を介して第１，第２のロータ間の回転伝達を行い、前記平行移動操作、回転操作、押し込み操作の何れかで対応した検知部を動作させるため、ノブを持ち替えることなく平行移動操作、回転操作、押し込み操作を行うことができる。
【発明を実施するための最良の形態】
【０００９】
平行移動操作、回転操作、押し込み操作を持ち替えることなく行うことを可能にするという目的を、２個のロータ及び係脱可能な位置決め係合部により実現した。
【実施例１】
【００１０】
［多方向スイッチの構造］
図１〜図８は、本発明の実施例１を示し、図１は、多方向スイッチの平面図、図２は、図１のＩＩ−ＩＩ線矢視断面図、図３は、ノブ及び上ケースを取り外した状態の斜視図、図４は、図１のＩＶ−ＩＶ線矢視断面図、図５は、平行移動操作を示す図４に対応した断面図、図６は、位置決め係合部の要部断面図、図７は、図１のＶＩＩ−ＶＩＩ線矢視断面図、図８は、回転節度係合部の要部断面図である。
【００１１】
図１，図２のように、本発明実施例の多方向入力装置である多方向スイッチ１は、ケース３に、第１のロータ５、第２のロータ７、ノブ９等を備え、ノブ９を平行移動操作、回転操作、押し込み操作可能とし何れかの操作で対応した検知部を動作させるものである。なお、以下の説明において、ノブ９のノブ回転軸方向をノブ回転軸方向、同回転半径方向をノブ回転半径方向、同回転周方向をノブ周方向とする。
【００１２】
前記ケース３は、下ケース１１及び上ケース１３からなり、平面視で矩形に形成されている。下ケース１１の上部に上ケース１３の下部が嵌合し、スナップ・フィット等により着脱自在に結合固定されている。下ケース１１には、内部に基板位置決め用の段部１５が設けられている。下ケース１１の天板１７には、ロータ支持孔１８が設けられ、ロータ支持孔１８の外周にノブ周方向４カ所のロッド支持部１９が設けられている。ロッド支持部１９には、プッシュ・ロッド２０が支持されている。プッシュ・ロッド２０には、フランジ２１が設けられ、ロッド支持部１９に係合する。プッシュ・ロッド２０の先端２２は、半球状に滑らかに形成されている。上ケース１３には、筒部２３が設けられている。
【００１３】
前記第１のロータ５は、ケース３に回転可能に設けられている。すなわち、第１のロータ５は、ドーナツ状に形成され、下ケース１１のロータ支持孔１８に回転自在に支持されている。第１のロータ５には、一側周囲にフランジ２５が設けられ、他側周囲に回転検知用のクシ歯状部２７が設けられている。フランジ２５は、下ケース１１の天板１７に係合している。第１のロータ５の中央部には、貫通孔２９が設けられ、貫通孔２９に隣接してプッシュ・プレート支持孔３１が設けられている。
【００１４】
前記プッシュ・プレート支持孔３１には、プッシュ・プレート３３が可動支持されている。プッシュ・プレート３３には、貫通孔３５が設けられ、プッシュ・プレート３３は、ドーナツ状に形成されている。プッシュ・プレート３３には、押し込み操作に対応するラバー・コンタクト３７が検知部として当接している。ラバー・コンタクト３７は、プッシュ・プレート３３から押圧力を受けると弾性的に撓んで接点が動作するものであり、基板３９に１２０°配置でノブ周方向３箇所に設けられている。
【００１５】
前記基板３９は、下ケース１１の段部１５に嵌め込まれ、下ケース１１に取り付けたストッパ４０により位置決められている。
【００１６】
前記基板３９には、前記貫通孔３５に対向して照明具としてＬＥＤ４１が設けられている。基板３９には、前記ラバー・コンタクト３７の外周側に平行移動操作に対応するラバー・コンタクト４３が検知部として設けられている。ラバー・コンタクト４３は、ノブ周方向４箇所に配置され、前記プッシュ・ロッド２０のフランジ２１側に当接している。基板３９には、さらに回転操作に対応するフォト・センサ４５が検知部として設けられている。フォト・センサ４５は、他の回転検知センサに代えることもできる。
【００１７】
従って、ノブ９の平行移動操作、回転操作、押し込み操作により各別に動作する検知部を備えた単一の基板３９を設けた構成となっている。
【００１８】
前記第２のロータ７は、前記第１のロータ５にノブ回転軸方向に対面隣接し前記ケース３に回転可能且つノブ回転半径方向へ移動可能に設けられている。第１のロータ５に対し第２のロータ７のノブ回転半径方向への移動を許容すると共に第１，第２のロータ５，７間の回転伝達を行わせるのは、後述する位置決め係合部が行う。
【００１９】
前記第２のロータ７には、一側周囲にテーパー面４７が設けられ、前記プッシュ・ロッド２０の先端２２が当接している。第２のロータ７の他側面には、支持筒４９が設けられている。第２のロータ７の中央部には、貫通孔５１が設けられ、貫通孔５１に隣接し前記支持筒４９内周に渡り結合孔５３が設けられている。
【００２０】
前記第２のロータ７及び上ケース１３間には、第１，第２のスライダ５５，５７及び後述する回転節度係合部が設けられ、第２のロータ７は、ケース３の上ケース１３に対しノブ回転半径方向へ移動可能且つ回転可能となっている。第１のスライダ５５は、ケース３の上ケース１３に対して一方向へ移動可能であると共に第２のスライダ５７は、第１のスライダ５５に前記一方向に直交する方向へ移動可能に設けられている。
【００２１】
前記第１のスライダ５５は、図３のように一対のスライド・アーム５９及びリング部６１を備え、スライド・アーム５９及びリング部６１がブリッジ部６３により結合され、平面視でＨ状に形成されている。スライド・アーム５９が図４，図５のように上ケース１３の側壁６５内面にガイドされ、一方向へ移動可能となっている。第１のスライダ５５には、図３のようにブリッジ部６３からスライド・アーム５９にかけてスライド溝６７が設けられている。
【００２２】
前記第２のスライダ５７は、中央部に嵌合孔６９が設けられ、リング状に形成されている。第２のスライダ５７は、嵌合孔６９において前記第２のロータ７の支持筒４９に相対回転可能に嵌合している。第２のスライダ５７に、第１のスライダ５５のスライド溝６７にスライド嵌合する突条部７１が設けられている。スライド溝６７及び突条部７１間に、グリス溜まりや含油プラスチックを嵌め込む
スペースを設けることもできる。前記第２のロータ７のテーパー面４７に代えて、第２のスライダ５７に同機能の傾斜面を設けることもできる。
【００２３】
前記ノブ９は、前記第２のロータ７にノブ回転軸方向に押し込み操作可能且つ回転係合するように取り付けられている。ノブ９は、握り部７３が、例えば掌で握れる程度の大きさに形成されている。ノブ９は、円錐部７５、胴部７７、先端部７９を備え、断面円形の中空部８１がノブ回転軸方向に貫通形成されている。円錐部７５の端部には、透光性材料で形成された銘板８３が取り付けられ、表示部を構成している。ノブ９の中空部８１及び前記プッシュ・プレート３３の貫通孔３５は、前記ＬＥＤ４１から銘板８３まで貫通する光路を構成している。ＬＥＤ４１の照明により銘板８３の明光表示を行わせる。
【００２４】
前記ノブ９は、第２のロータ７の支持筒４９に挿入され、第２のロータ７に対して押し込み操作可能に回転係合している。この係合は、例えば、支持筒４９に形成されたノブ回転軸方向のスリットにノブ９の胴部７７に形成された突起が係合することで行うことができる。スリットに対する突起の係合は、スナップフィットなどとなっており、第２のロータ７に対するノブ９の抜け止めが行われる。  前記第１のロータ５及び第２のロータ７間の位置決め係合部は、図４〜図６のようになっている。位置決め係合部８５は、弾性力に抗して係脱可能であり、第１，第２のロータ５，７の一方である第１のロータ５に設けられコイル・スプリング８７により付勢されたボール８９及び同他方である第２のロータ７に設けられ前記ボール８９が係合する節度山９１により構成されている。なお、コイル・スプリング８７及びボール８９を第２のロータ７に設け、節度山９１を第１のロータ５に設けることもできる。
【００２５】
前記コイル・スプリング８７及びボール８９は、第１のロータ５にノブ周方向複数箇所に形成された収容穴９３にそれぞれ収容され、各ボール８９が第２のロータ７に形成された節度山９１に弾接している。
【００２６】
前記節度山９１は、図６のように、中央の位置決め山９５と該位置決め山９５周囲の復帰山９７の２段形状に形成されている。
【００２７】
前記回転節度係合部は、図７，図８のように、前記第２のロータ７及び第２のスライダ５７間に設けられて第２のスライダ５７に対し第２のロータ７に回転節度を与えるものである。回転節度係合部９９は、第２のロータ７及び第２のスライダ５７の一方である第２のロータ７に設けられコイル・スプリング１０１により付勢されたボール１０３及び同他方である第２のスライダ５７に設けられ前記ボール１０３が係合する節度山１０５により構成されている。なお、コイル・スプリング１０１及びボール１０３を第２のスライダ５７に設け、節度山１０５を第２のロータ７に設けることもできる。  
前記コイル・スプリング１０１及びボール１０３は、第２のロータ７にノブ周方向複数箇所に形成された収容穴１０７にそれぞれ収容され、各ボール１０３が第２のスライダ５７にノブ周方向連続して形成された節度山１０５に弾接している。
【００２８】
［平行移動操作］
前記ノブ９の握り部７３を掌で握り、図１のＡ〜Ｈの８方向の何れかへ平行移動操作することができる。この操作により、結合孔５３を介して第２のロータ７に操作力が伝達される。この操作力は、第２のロータ７から第２のスライダ５７、第１のスライダ５５へと順次伝達され、第１のスライダ５５が上ケース１３の側壁６５にガイドされてスライドすると共に第２のスライダ５７がスライド溝６７及び突条部７１により第１のスライダ５５に対してスライドする。これら両スライド動作の供働により、第２のロータ７が上ケース１３に対しノブ回転半径方向へ移動するときに回転が規制され、この回転規制によりノブ９をＡ〜Ｈの方向を含めてノブ回転半径方向へ平行移動操作のみ行わせることができる。また、第２のロータ７及び第２のスライダ５７間の回転節度係合部９９を有効に機能させることができる。
【００２９】
前記平行移動操作により、前記第２のロータ７が、例えば図４の状態から図５の状態へ移動する。この移動により第２のロータ７のテーパー面４７がプッシュ・ロッド２０を押し下げ、ラバー・コンタクト４３を潰し、接点を動作させることができる。テーパー面４７は、第２のロータ７の全周に設けられているため、ノブ９が回転しても同様の動作を行わせることができる。
【００３０】
前記プッシュ・ロッド２０は、９０°ピッチで設けられているため、プッシュ・ロッド２０の方向にノブ９を操作したときは、その方向のラバー・コンタクト４３の接点がＯＮとなる。ノブ９を２つのプッシュ・ロッド２０の中間方向に操作したときは、２つのプッシュ・ロッド２０が同時にＯＮとなる。従って、４個のラバー・コンタクト４３により８方向の操作を検知することができる。
【００３１】
第２のロータ７が図５のように移動したときは、コイルス・プリング８７で付勢されているボール８９が位置決め山９５から外れて復帰山９７へ図６の一点鎖線図示と同様に相対的に移動する。ボール８９が位置決め山９５から外れて復帰山９７へ移動するとノブ９に反力を与えて操作節度感を出すことができる。
【００３２】
前記ボール８９の移動によりボール８９がコイル・スプリング８７の付勢力に抗して収容穴９３内方向へ押し込められる。従って、ノブ９の操作力がなくなればボール９７がコイル・スプリング８７の付勢力により収容穴９３から突出し、復帰山９７から位置決め山９５へ復帰して位置決められる。同時にプッシュ・ロッド２０により潰されていたラバー・コンタクト４３も弾性復帰し、プッシュ・ロッド２０を介してテーパー面４７に復帰力を与える。従って、第２のロータ７が平行移動操作前の中立位置へ確実に移動し、ノブ９が操作前の元位置へ自動復帰する。
【００３３】
［回転操作］
前記ノブ９の握り部７３を握り、回転操作すると、胴部７７から第２のロータ７の支持筒４９へ回転力が伝達され、第２のロータ７が軸周りに回転する。第２のロータ７からは、前記位置決め係合部８５の係合を介して第１のロータ５へ回転が伝達される。この第１のロータ５の回転により、クシ歯部２７がフォト・センサ４５に対して相対的に回転移動する。この回転移動をフォト・センサ４５が検知する。
【００３４】
前記ノブ９の回転操作に際しては、第２のロータ７が第２のスライダ５７に対して相対回転するから、コイル・スプリング１０１により付勢されたボール１０３が節度山１０５を乗り越えることで節度感を得ることができる。
【００３５】
［押し込み操作］
前記ノブ９を押し込み操作すると、胴部７７が支持筒４９に対して押し込まれ、軸方向に移動する。ノブ９の押し込め力は、先端部７９からプッシュ・プレート３３に伝達され、ラバー・コンタクト３７が潰される。これによりラバー・コンタクト３７が動作してその接点がＯＮとなり、押し込み操作を検知することができる。
【００３６】
操作者がノブ９から手を離すと、ラバー・コンタクト３７の押圧力が除去され、ラバー・コンタクト３７の弾性復帰力によりプッシュ・プレート３３を介してノブ９が押し上げられ、復帰する。なお、ノブ９の復帰のための別のスプリングを設けることもできる。  
［照明］
前記ＬＥＤ４１を発光させると、前記プッシュ・プレート３３の貫通孔３５及びノブ９の中空部８１を光が通り、銘板８３まで直接届く。この光により銘板８３を明光表示させることができる。
［実施例の効果］
ノブ９を持ち替えることなく平行移動操作、回転操作、押し込み操作することができる。
【００３７】
ノブ９を回転操作、押し込み操作することができる他、傾動操作させることなく平行移動操作することができる。このため、傾動操作を擬似的に平行移動に近づける構造とする必要がなく、全体的により小型化を図ることができる。
【００３８】
前記ノブ９の平行移動操作、回転操作、押し込み操作により各別に動作する検知部としてラバー・コンタクト３７，４３、フォト・センサ４５を単一の基板３９に設けたため、部品点数が少なく、組み付け部品管理を容易にすることができ、また、全体的によりコンパクトに形成することができる。
【図面の簡単な説明】
【００３９】
【図１】多方向スイッチの平面図である（実施例１）。
【図２】図１のＩＩ−ＩＩ線矢視断面図である（実施例１）。
【図３】ノブ及び上ケースを取り外した状態の斜視図である（実施例１）。
【図４】図１のＩＶ−ＩＶ線矢視断面図である（実施例１）。
【図５】平行移動操作を示す図４に対応した断面図である（実施例１）。
【図６】位置決め係合部の要部断面図である（実施例１）。
【図７】図１のＶＩＩ−ＶＩＩ線矢視断面図である（実施例１）。
【図８】回転節度係合部の要部断面図である（実施例１）。
【図９】多方向スイッチの主要断面図である（従来例）。
【符号の説明】
【００４０】
１  多方向スイッチ（多方向入力装置）
３  ケース
５  第１のロータ
７  第２のロータ
９  ノブ
２０  プッシュ・ロッド
３７，４３  ラバー・コンタクト（検知部）
３９  基板
４１  照明具
３５  貫通孔（光路）
４５  フォト・センサ（検知部）
４７  テーパー面
５５  第１のスライダ
５７  第２のスライダ
８１  中空部（光路）
８３  銘板（表示部）
８５  位置決め係合部
８７，１０１  コイル・スプリング
８９，１０３  ボール
９１，１０５  節度山
９９  回転節度係合部
【図１】
0004617216.tif 000002
【図２】
0004617216.tif 000003
【図３】
0004617216.tif 000004
【図４】
0004617216.tif 000005
【図５】
0004617216.tif 000006
【図６】
0004617216.tif 000007
【図７】
0004617216.tif 000008
【図８】
0004617216.tif 000009
【図９】
0004617216.tif 000010